【事件の表示】
　特願２００９−５０４８０８「通信装置のためのユーザインタフェース」拒絶査定不服審判事件〔平成１９年１０月１８日国際公開、ＷＯ２００７／１１６２１４、平成２１年１０月１５日国内公表、特表２００９−５３６７５９〕について、次のとおり審決する。
【結　論】
　本件審判の請求は、成り立たない。
【理　由】
第１　手続の経緯
　本願は、２００７年４月５日を国際出願日とする出願（パリ条約による優先権主張外国庁受理２００６年４月１０日、英国）であって、平成２３年１１月２１日付けで拒絶査定がなされ（発送日：同年１１月２９日）、これに対して平成２４年３月２８日に審判の請求がなされ、同時に手続補正がなされたものである。
　
第２　平成２４年３月２８日付けの手続補正についての補正却下の決定
［補正却下の結論］
　平成２４年３月２８日付けの手続補正（以下、「本件補正」という。）を却下する。
　
［理由］
１．本願補正発明
　本件補正により、特許請求の範囲の請求項１は、
「（Ａ）　通信システムにおいて用いるための装置において、
（Ｂ）　第１及び第２のアプリケーションを実行するように設けられた処理手段と、
（Ｃ）　第１のユーザインタフェースと、
　
スクリーンの形態の
（Ｄ）　上記第１のアプリケーションは呼を検出するためのものであり、
（Ｅ）　上記第２のアプリケーションは、上記第２のアプリケーションをユーザが用いることができるように上記第１のユーザインタフェースを制御するための手段を備え、
（Ｆ）　上記第２のアプリケーションが実行中ではないときには、上記第１のアプリケーションは、上記呼が発生したことを上記装置のユーザに対して示すように上記第１のユーザインタフェースを制御するように設けられ、
（Ｇ）　上記第２のアプリケーションが実行中であるときには、上記第１のユーザインタフェースは上記第２のアプリケーションの動作専用に設けられ、これにより、上記第１のユーザインタフェースは上記呼が発生したことをユーザに対して示すことができず、
（Ｈ）　上記第１のアプリケーションは、上記第２のアプリケーションが実行中であることの通知のときに、上記呼が発生したことを上記装置のユーザに対して視覚的に示すように上記代替のユーザインタフェースを制御するように設けられ、かつ上記第１のユーザインタフェースは、上記呼を上記ユーザに対して示すことができない装置。」
と補正された。（審決注：（Ａ）〜（Ｈ）の符号及び分説と、下線とは、当審付与。）
　
　上記補正は、請求項１に記載した発明を特定するために必要な事項のうち、本件補正前（平成２３年１１月２日付け手続補正書参照）において、「代替のユーザインタフェース」とあったものを、「スクリーンの形態の代替のユーザインタフェース」とする限定を付加することを含むものであって、特許法第１７条の２第５項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第６項において準用する同法第１２６条第５項の規定に適合するか）について以下に検討する。
　
　
２．引用例（特開２００４−７１４４号公報）
　原査定の拒絶の理由で引用された、本願の優先日前である２００４年１月８日に公開された、特開２００４−７１４４号公報（以下「引用例」という。）には、図面（特に図１〜図４参照。）と共に、次の事項が記載されている（下線は当審にて付与。以下同様。）。
　
（１）　段落【０００１】−【０００８】
「【０００１】
【発明が属する技術分野】
本発明は、通信端末に関し、特に表示部に着信に関する情報を表示して、着信を報知するする携帯電話機等の通信端末に関する。
【０００２】
【従来の技術】
携帯電話機、ＰＤＡ端末等の通信端末は、無線基地局との間に電波による通信回線を設定し、無線により音声、データ等を送受して通信を行うものであり、送受信部の他、通信端末全体を統括して制御する制御部を有している。また、通信端末の一つである携帯電話機は、電話機に対する操作指示を入力する操作部と、操作に関する情報を表示する表示部とを有し、操作部及び表示部は制御部によって制御されている。そして、この表示部には、操作に関する情報を表示する領域の他に、携帯電話機の作動状態を表示するピクト部が設けられている。
【０００３】
携帯電話機は、通常の待受時において待受画面を表示している（なお、消費電力を抑えるために画面表示を停止している場合もある）。そして、携帯電話機の使用者からの操作入力に伴って画面を機能に関する機能画面に切り替える。使用者は、表示部に表示される携帯電話機の機能画面を見ながら操作部を操作して携帯電話機に対する動作の指示をする。例えば、操作部を操作して、表示部に表示される操作メニューに従って携帯電話機の着信音の設定をしたり、表示部に表示される入力項目に従ってメモリダイヤル（電話帳）の登録をしたり、送信するメールを作成したり、静止画像や動画を表示させたり、単にカメラが写している被写体を表示させたり、ゲームをしていたり、その他のアプリケーションを使用したりすることなど、これらの携帯電話機（通信端末）の動作に関する画面が機能画面に含まれる。
【０００４】
なお、待受画面とは、上述した機能画面以外の画面であり、例えば使用者が操作をしていない状態の画面である。近年の携帯電話機では、電波強度、電池残量、時刻などのほかに壁紙やアニメーションを表示しているものもある。
【０００５】
【発明が解決しようとする課題】
しかし、使用者が、携帯電話機に対して動作の指示を操作している途中に着信があると、表示部には着信があった旨を報知する着信画面が優先して表示され、機能画面が消去されてしまう問題があった
【０００６】
また、着信時において、入力操作を優先して、着信表示を行わないよう制御すると、着信があったことが分からずに、重要な相手先からの着信を見逃してしまう問題があった。
【０００７】
また、着信音、光、振動等によって着信を報知しても、誰からの着信なのかが表示部に表示されないと、発信者が分からず、電話に出るべきか否かの判断が困難であった。
【０００８】
このように、携帯電話機の操作中に着信があった場合でも、該操作を継続しつつ、着信情報を表示することができる携帯電話機が求められていた。
本発明は、通信端末の操作中に着信があっても、現在の操作状態を変えることなく着信表示をする通信端末を提供することを目的とする
　
（２）　【０００９】−【００２３】
「【０００９】
【課題を解決するための手段】
第１の発明は
着信を受けると、前記機能画面を保持した状態で前記表示部の一部に着信の表示（例えば、該着信の発信者情報の表示）をすることを特徴とする
【００１０】
ここで、機能画面を保持した状態とは表示部に表示されている機能画面を何ら変更しない態様
が含まれる
　　　
　　　・・・（中略）・・・
　　　
【００１４】
第５の発明は、所定の機能画面を表示する第１表示部と、該第１表示部より小さい第２表示部とを有する通信端末において
着信があると、前記第２表示部に当該着信の表示をすることを特徴とする
　　　
　　　・・・（中略）・・・
　　　
【００１６】
第７の発明は、少なくとも機能モードと、該機能モードに対応して所定の情報を表示する第１表示部と、該第１表示部より小さい第２表示部とを有する通信端末において
着信があると、前記第２表示部に当該着信の表示をすることを特徴とする
　　　
　　　・・・（中略）・・・
　　　
【００２１】
第５の発明では
、第１表示部の表示に基づいて行われている操作入力を妨げることなく、第２表示部に着信情報を表示することができ
　　　
　　　・・・（中略）・・・
　　　
【００２３】
第７の発明では
第１表示部の表示に基づいて行われている機能モードの操作入力を妨げることなく、第２表示部に着信情報を表示することができ
　
（３）　段落【００２４】−【００２９】（図１を参照。）
「【００２４】
【発明の実施の形態】
次に、本発明の実施の形態について、携帯電話機を例として、図面を参照して説明する。
【００２５】
図１
主要な構成
【００２６】
アンテナ１は送受信部２に接続されており
【００２７】
ＲＦ制御部３はベースバンド部及び無線制御部により構成されており
【００２８】
また、
制御部４は、主にＣＰＵにて構成されており、ＲＡＭ５及びＲＯＭ６に記憶されたデータに基づいて、送受信部２、操作部７、表示インターフェース８、表示部９等の携帯電話機の各部を制御
操作部７は、文字、数字の入力、携帯電話機への動作の指示を受け付け
表示インターフェース８は、制御部４からの表示データを受け、表示部９を駆動するドライバ回路であ
【００２９】
表示部９は、
文字情報、携帯電話機の動作状態等を表示する液晶表示パネルと、液晶表示パネルを照明するバックライトとによって構成され
また、表示部９は、主表示部９ａと副表示部９ｂとで構成されて
主表示部９ａは、通信により送られてきた文字情報や、操作に関する情報として操作メニュー、入力項目や、キー入力のエコーバックを表示
副表示部９ｂは、専ら、携帯電話機の状態（電波強度、電池残量、時刻など）又は携帯電話機の操作に関する情報を表示したり、機能キー（ファンクションキー）に現在割り当てられている機能を表示するものであり、主表示部９ａより小さく、主表示部９ａ内の一部の表示エリアに設けられ
なお、副表示部９ｂを、主表示部９ａとは別の表示パネルとして構成してもよ
　
（４）　段落【００３１】−【００４１】（図２を参照。）
「【００３１】
図２は
着信待受時の動作
【００３２】
制御部では、携帯電話機の動作を司るメインプログラムが動作して
このメインプログラムでは、操作部のキースイッチが操作されたかを、定期的にスキャンして監視して
（Ｓ１０１）
設定スイッチが操作されたことを検出すると（Ｓ１０１で”有”）、機能の設定やメモリダイヤル登録や、メールの作成や、着信音の設定等の付加機能を実行する設定モードに移行し、表示部にこれらの付加機能設定のための機能画面（例えば
メニュー画面や着信音の設定画面、メール作成・閲覧画面、電話帳設定画面）を表示
（Ｓ１０２）
【００３３】
そして、
設定モード中に携帯電話機への着信を検出すると（Ｓ１０３）
基地局から送信されてきた呼出信号から発信者番号等の発信者情報を抽出
して、発信者番号をＲＡＭ５に格納し、この着信に関する発信者番号をメモリダイヤル中から検索して、メモリダイヤルに一致する電話番号が記憶されていたら、発信者番号と共に、対応する名前をＲＡＭ５に記憶
（Ｓ１０４）
【００３４】
なお、この着信がメールの着信であれば、発信者メールアドレス（又は発信者電話番号）及びメールデータ（メール本文）をＲＡＭ５に格納し、この着信に関する発信者メールアドレス（又は発信者電話番号）をメモリダイヤル中から検索して、メモリダイヤルに一致する発信者メールアドレス（又は発信者電話番号）が記憶されていたら、メールデータと共に対応する名前をＲＡＭ５に記憶する（Ｓ１０４）。
【００３５】
そして、
着信ランプを点滅させ、使用者に着信があったことを報知すると共に、ＣＰＵが、設定モードを継続しているか否かを判断
（Ｓ１０５）
設定モードを継続している場合とは、設定モードのアプリケーションが起動している状態であり
設定モードが継続していると判断されたならば（Ｓ１０５で”Ｙｅｓ”）
該着信に関する発信者電話番号等の情報（着信情報）の表示位置を
決定
（Ｓ１０６）
【００３６】
この着信情報の表示位置としては、表示画面のピクト部を選択する方法がある。すなわち、図３にて後述するように、表示画面の上部には携帯電話機に動作状態（電池残量、電界強度等）を図形（ピクトグラム）によって表示するピクト部が設けられており、このピクト部に着信情報を表示するように表示位置を決定する。なお、着信があった旨を強調するため、ピクト部に着信表示をすると共に、機能画面の一部を使用して文字を大きく表示することも可能である。
　　　
　　　・・・（中略）・・・
　　　
【００３８】
着信情報の表示位置が決定したら、この表示位置に表示領域を設け、ステップＳ１０４でＲＡＭ５に格納した発信者番号、対応する名前
を表示部９に表示
【００３９】
そして、通話キーが操作されたか否かを検出し（Ｓ１０８）、通話キーの操作を検出すると（Ｓ１０８で”Ｙｅｓ”）、基地局との間で通話チャネルを設定して、通話状態に移行する（Ｓ１０９）。
【００４０】
一方、通話キーの操作が検出されなければ（Ｓ１０８で”Ｎｏ”）、発信者番号を表示した着信報知状態を維持したまま、設定モードを継続する（Ｓ１１３）。
【００４１】
また、ステップＳ１０５で、設定モードの解除と判断されたら、着信情報を表示画面全面に表示する通常の着信表示を
（Ｓ１１１）
　
（５）　段落【００４２】−【００４８】（図３を参照。）
「【００４２】
図３は
表示部の表示内容
【００４３】
図３（ａ）は、電話機の機能として着信音パターンを設定中の画面の表示を示す
【００４４】
図３（ｂ）は、携帯電話機に音声による通話の着信があり、設定モードが継続された場合
（
ステップＳ１０７）
着信に関する情報（着信情報）がピクト部に表示され
【００４５】
このとき、着信情報は、表示部の最上部（ピクト部）に着信情報を表示する表示領域を設けて表示されるので、現在実行中の機能設定画面を消去して、機能設定を中断することなく、着信前の画面
の操作に関する表示部分を保持したまま、発信者名等の着信情報を表示することができ
【００４６】
図３（ｃ）は、着信情報表示（図３（ｂ））後、通話に移行した状態（図２のステップＳ１０９）の表示例を示す。通話状態では、現在実行中の機能設定画面を着信前（図３（ａ））と同様に保持したまま、表示部の最上部（ピクト部）に通話中である旨及び通話時間が表示される。
【００４７】
このように、着信中（着信表示中）も、通話中も、現在実行中の機能設定画面を保持しているので、通話中も設定操作が可能である。
【００４８】
図３（ｄ）は、終話キーによる終話操作がされ、通話が終了した状態を示す。通話終了後も、着信前の画面（図３（ａ））が維持される。」
　
（６）　段落【００４９】−【００５５】
「【００４９】
図４は、本発明の実施の形態の携帯電話機における表示部の表示内容
メールの着信があった場合
　　　
　　　・・・（中略）・・・
　　　
【００５５】
なお、
ピクト部を主表示部９ａでなく副表示部９ｂに表示するように構成し、着信時には、副表示部９ｂに携帯電話機の動作状態ではなく着信情報を表示するように構成することもできる
　
　これらの記載から、引用例には、次の発明（以下、「引用発明」という。）が記載されていると認められる。
　
「携帯電話機であって、
　
　主要な構成において、
　アンテナ１は送受信部２に接続されており、
　ＲＦ制御部３はベースバンド部及び無線制御部により構成されており、
　制御部４は、主にＣＰＵにて構成されており、ＲＡＭ５及びＲＯＭ６に記憶されたデータに基づいて、送受信部２、操作部７、表示インターフェース８、表示部９等の携帯電話機の各部を制御し、
　操作部７は、文字、数字の入力、携帯電話機への動作の指示を受け付け、
　表示インターフェース８は、制御部４からの表示データを受け、表示部９を駆動するドライバ回路であり、
　表示部９は、文字情報、携帯電話機の動作状態等を表示する液晶表示パネルと、液晶表示パネルを照明するバックライトとによって構成され、また、表示部９は、主表示部９ａと副表示部９ｂとで構成されており、
　主表示部９ａは、通信により送られてきた文字情報や、操作に関する情報として操作メニュー、入力項目や、キー入力のエコーバックを表示し、
　副表示部９ｂは、専ら、携帯電話機の状態（電波強度、電池残量、時刻など）又は携帯電話機の操作に関する情報を表示したり、機能キー（ファンクションキー）に現在割り当てられている機能を表示するものであり、主表示部９ａより小さく、主表示部９ａ内の一部の表示エリアに設けられ、
　なお、副表示部９ｂを、主表示部９ａとは別の表示パネルとして構成してもよく、
　
　着信待受時の動作において、
　制御部では、携帯電話機の動作を司るメインプログラムが動作しており、このメインプログラムでは、操作部のキースイッチが操作されたかを、定期的にスキャンして監視しており（Ｓ１０１）、
　設定スイッチが操作されたことを検出すると（Ｓ１０１で”有”）、
　機能の設定やメモリダイヤル登録や、メールの作成や、着信音の設定等の付加機能を実行する設定モードに移行し、表示部にこれらの付加機能設定のための機能画面（例えば、メニュー画面や着信音の設定画面、メール作成・閲覧画面、電話帳設定画面）を表示し（Ｓ１０２）、
　設定モード中に携帯電話機への着信を検出すると（Ｓ１０３）、
　基地局から送信されてきた呼出信号から発信者番号等の発信者情報を抽出して、発信者番号をＲＡＭ５に格納し、この着信に関する発信者番号をメモリダイヤル中から検索して、メモリダイヤルに一致する電話番号が記憶されていたら、発信者番号と共に、対応する名前をＲＡＭ５に記憶し（Ｓ１０４）、
　着信ランプを点滅させ、使用者に着信があったことを報知すると共に、ＣＰＵが、設定モードを継続しているか否かを判断し（Ｓ１０５）、
　ここで、設定モードを継続している場合とは、設定モードのアプリケーションが起動している状態であり、
　設定モードが継続していると判断されたならば（Ｓ１０５で”Ｙｅｓ”）、
　該着信に関する発信者電話番号等の情報（着信情報）の表示位置を、決定し（Ｓ１０６）、
　着信情報の表示位置が決定したら、この表示位置に表示領域を設け、ステップＳ１０４でＲＡＭ５に格納した発信者番号、対応する名前を表示部９に表示し、
　表示部の表示内容は、携帯電話機に音声による通話の着信があり、設定モードが継続された場合（ステップＳ１０７）、
　着信に関する情報（着信情報）がピクト部に表示され、このとき、着信情報は、表示部の最上部（ピクト部）に着信情報を表示する表示領域を設けて表示されるので、現在実行中の機能設定画面を消去して、機能設定を中断することなく、着信前の画面の操作に関する表示部分を保持したまま、発信者名等の着信情報を表示することができ、
　なお、ピクト部を主表示部９ａでなく副表示部９ｂに表示するように構成し、着信時には、副表示部９ｂに携帯電話機の動作状態ではなく着信情報を表示するように構成することもでき、
　また、
　ステップＳ１０５で、設定モードの解除と判断されたら、
　着信情報を表示画面全面に表示する通常の着信表示をする（Ｓ１１１）、
　携帯電話機。」
　
　
３．対比
　本願補正発明と引用発明とを対比する。
　
（ａ）　引用発明の「携帯電話機」は、本願補正発明の「通信システムにおいて用いるための装置」に相当する。
　
（ｂ）　引用発明の携帯電話機の「主にＣＰＵにて構成され」る「制御部４」は、本願補正発明の装置の「処理手段」に相当する。
　引用発明の「携帯電話機の動作を司るメインプログラム」は、携帯電話機用「アプリケーション（プログラム）」といえるから、本願補正発明の「第１のアプリケーション」に相当する。
　よって、引用発明の「制御部では、携帯電話機の動作を司るメインプログラムが動作して」いることは、本願補正発明の「第１及び第２のアプリケーションを実行するように設けられた処理手段」と、「第１のアプリケーションを実行するように設けられた処理手段」である点で共通する。
　また、引用発明の携帯電話機が「設定モード」に移行したときに起動される、「設定モードのアプリケーション」は、本願補正発明の「第２のアプリケーション」に対応する。
　
（ｃ）　引用発明の「表示部９」の「主表示部９ａ」部分は、本願補正発明の「第１のユーザインタフェース」と、「第１のユーザインタフェース部分」である点で共通するといえる。
　引用発明の携帯電話機の「表示部９」は、「液晶表示パネル」等で構成されるから、「スクリーンの形態」であるといえる。
　よって、引用発明の「表示部９」の「副表示部９ｂ」部分は、本願補正発明の「スクリーンの形態の代替のユーザインタフェース」と、「スクリーンの形態の第２のユーザインタフェース部分」である点で共通するといえる。
　
（ｄ）　引用発明の「ステップＳ１０３」において、設定モード中に「携帯電話機への
着信
呼
　
（ｅ）　引用発明の「ステップＳ１０２」において、「設定モードのアプリケーション」（本願補正発明の「第２のアプリケーション」に対応。）が起動されて、「表示部にこれらの付加機能設定のための機能画面（例えば、メニュー画面や着信音の設定画面、メール作成・閲覧画面、電話帳設定画面）を表示」することは、着信音の設定等の「機能画面」が、ユーザが着信音の設定等に用いる画面であって、表示部９の「主表示部９ａ」部分に表示されることが明らかであるから（引用例の段落【００４３】及び図３（ａ）を参照。）、本願補正発明の「上記第２のアプリケーションは、上記第２のアプリケーションをユーザが用いることができるように上記第１のユーザインタフェースを制御するための手段を備え」ることと、「上記第２のアプリケーションは、上記第２のアプリケーションをユーザが用いることができるように
上記第１のユーザインタフェース部分
　
（ｆ）　引用発明の「ステップＳ１０５」において、「設定モードの解除と判断されたら、着信情報を表示画面全面に表示する通常の着信表示をする（Ｓ１１１）」ことは、「設定モードの解除」と判断されるのは「設定モードのアプリケーション」（「第２のアプリケーション」）が実行中でないときであること、及び、上記（ｄ）記載のとおり引用発明における「着信」には「着呼」を含むことから、本願補正発明の「上記第２のアプリケーションが実行中ではないときには、上記第１のアプリケーションは、上記呼が発生したことを上記装置のユーザに対して示すように
上記第１のユーザインタフェースを
は、上
に、制
　
（ｇ）　引用発明の「ステップＳ１０５」で「設定モードが継続していると判断されたならば（Ｓ１０５で”Ｙｅｓ”）」との状態は、「設定モードが継続している」と判断されるのは「設定モードのアプリケーション」（「第２のアプリケーション」）が実行中のときであるから、本願補正発明の「上記第２のアプリケーションが実行中であるときには」に相当する。
　よって、引用発明において、「ステップＳ１０５で”Ｙｅｓ”」のときには、「ステップＳ１０７」で、「着信情報は、表示部の最上部（ピクト部）に着信情報を表示する表示領域を設けて表示されるので、
現在実行中の機能設定画面を消去して、機能設定を中断することなく
着信前の画面の操作に関する表示部分を保持したまま
上記第１のユーザインタフェース部分
動作のために
（ｈ）　上記（ｇ）記載のように、「ステップＳ１０５」で「設定モードが継続していると判断されたならば（Ｓ１０５で”Ｙｅｓ”）」との状態は、本願補正発明の「上記第１のアプリケーションは、上記第２のアプリケーションが実行中であることの通知のときに」と、「上記第２のアプリケーションが実行中で
あるときに
　よって、引用発明において、「ステップＳ１０５で”Ｙｅｓ”」のときに、「ステップＳ１０７」で、「
着信情報は、表示部の最上部（ピクト部）に着信情報を表示する表示領域を設けて表示されるので
あるときに
上記第２のユーザインタフェース部分
　
　したがって、両者の一致点、相違点ｂ〜相違点ｈは以下のとおりである。
　
［一致点］
「（Ａ）　通信システムにおいて用いるための装置において、
（Ｂ’）　第１のアプリケーションを実行するように設けられた処理手段、及び、第２のアプリケーションと、
（Ｃ’）　第１のユーザインタフェース部分と、
　スクリーンの形態の第２のユーザインタフェース部分とを備え、
（Ｄ’）　呼を検出するものであり、
（Ｅ’）　上記第２のアプリケーションは、上記第２のアプリケーションをユーザが用いることができるように上記第１のユーザインタフェース部分を制御するための手段を備え、
（Ｆ’）　上記第２のアプリケーションが実行中ではないときには、上記呼が発生したことを上記装置のユーザに対して示すように、制御するように設けられ、
（Ｇ’）　上記第２のアプリケーションが実行中であるときには、上記第１のユーザインタフェース部分は上記第２のアプリケーションの動作のために設けられ、
（Ｈ’）　上記第２のアプリケーションが実行中であるときに、上記呼が発生したことを上記装置のユーザに対して視覚的に示すように上記第２のユーザインタフェース部分を制御するように設けられる、装置。」
である点。
　
［相違点ｂ］
　本願補正発明の装置は、「第１及び第２のアプリケーションを実行するように設けられた処理手段」を備えるのに対して、引用発明の携帯電話機の「制御部４」は、「携帯電話機の動作を司るメインプログラム」（本願の「第１のアプリケーション」に相当する。）を実行することの記載はあるが、「設定モードのアプリケーション」（「第２のアプリケーション」）については、どこで実行されるかが明記されておらず、制御部（「処理手段」）で実行することの明記がない点。
　
［相違点ｃ］
　本願補正発明の装置は、「第１のユーザインタフェース」と「スクリーンの形態の
代替の
　
［相違点ｄ］
　本願補正発明の装置は、「上記第１のアプリケーションは呼を検出するためのものであ」るのに対して、引用発明は「呼を検出する」ものであるが、引用発明の「ステップＳ１０７」で、携帯電話機のどのプログラムが呼を検出しているかが明記されておらず、「携帯電話機の動作を司るメインプログラム」（「上記第１のアプリケーション」）が、呼の検出を実行することの明記がない点。
　
［相違点ｅ］
　本願補正発明は、上記第２のアプリケーションをユーザが用いることができるように
上記第１のユーザインタフェースを
　
［相違点ｆ］
　本願補正発明は、「上記第２のアプリケーションが実行中ではないときには、上記第１のアプリケーションは、上記呼が発生したことを上記装置のユーザに対して示すように上記第１のユーザインタフェースを制御するように設けられる」のに対して、引用発明は「ステップＳ１０５で、設定モードの解除と判断されたら」、ステップＳ１１１で「着信情報を表示画面全面に表示する通常の着信表示」をするものの、この「通常の着信表示」（ステップＳ１１１）に関して、「上記第１のアプリケーション」が、「上記第１のユーザインタフェースを」制御することの明記がない点。
　
［相違点ｇ］
　本願補正発明は、「上記第２のアプリケーションが実行中であるときには、上記第１のユーザインタフェースは上記第２のアプリケーションの動作専用に設けられ、これにより、上記第１のユーザインタフェースは上記呼が発生したことをユーザに対して示すことができず」とのものであるのに対し、引用発明は、ステップＳ１０５で「設定モードが継続していると判断されたならば（Ｓ１０５で”Ｙｅｓ”）」、「着信情報は、表示部の最上部（ピクト部）に着信情報を表示する表示領域を設けて表示されるので、
現在実行中の機能設定画面を消去して、機能設定を中断することなく
着信前の画面の操作に関する表示部分を保持したまま
　
［相違点ｈ］
　本願補正発明は、「上記第１のアプリケーションは、上記第２のアプリケーションが実行中であることの通知のときに、上記呼が発生したことを上記装置のユーザに対して視覚的に示すように上記代替のユーザインタフェースを制御するように設けられ、かつ上記第１のユーザインタフェースは、上記呼を上記ユーザに対して示すことができない」装置であるのに対して、引用発明の携帯電話機は、ステップＳ１０５で「設定モードが継続していると判断されたならば（Ｓ１０５で”Ｙｅｓ”）」、「
着信情報は、表示部の最上部（ピクト部）に着信情報を表示する表示領域を設けて表示される
　
　
４．相違点についての判断
（１）　［相違点ｂ］について
　引用発明の「設定モードのアプリケーション」は、引用発明の携帯電話機のどこで実行されるのかが明記されていないが、同じくプログラムである「メインプログラム」と同様に、引用発明の携帯電話機の「主にＣＰＵで構成され」た「制御部４」で実行されると解するのが自然である。
　よって、引用発明の携帯電話機を構成する際、「制御部」において、「メインプログラム」に加えて「設定モードのアプリケーション」も実行することによって、「第１及び第２のアプリケーションを実行するように設けられた処理手段」を備える、上記［相違点ｂ］に係る構成とすることは、引用発明に接した当業者が適宜に採用すべき設計的事項である。
　
（２）　［相違点ｃ］について
　引用発明は、「なお、副表示部９ｂを、主表示部９ａとは
別の表示パネルとして構成
着信時には、副表示部９ｂに
着信情報を表示する
　
（３）　［相違点ｄ］について
　引用発明は、着信待受時の動作を構成する一連のステップＳ１０１、Ｓ１０２…において、「制御部では、
携帯電話機の動作を司るメインプログラムが
このメインプログラムでは
監視しており（Ｓ１０１）
　よって、引用発明の着信待受時の動作において、ステップＳ１０１に後続する各ステップＳ１０２…も同様に「携帯電話機の動作を司るメインプログラム」（「第１のアプリケーション」に対応。）が実行すると解するのが自然である。
　したがって、引用発明の携帯電話機を構成する際、引用発明の「ステップＳ１０３」を、「携帯電話機の動作を司るメインプログラム」が実行するように構成することで、「上記第１のアプリケーションは」呼を検出するためのものである、上記［相違点ｄ］に係る構成とすることは、引用発明に接した当業者が適宜に採用すべき設計的事項である。
　
（４）　［相違点ｅ］について
　上記（２）に記載のとおり、引用発明の「主表示部９ａ」と「主表示部９ａより小さく、主表示部９ａ内の一部の表示エリアに設けられ」る「副表示部９ｂ」の構成に替えて、「第１のユーザインタフェース」と「スクリーンの形態の代替のユーザインタフェース」とを備える構成とすることは、当業者が適宜に採用すべき設計的事項である。
　よって、引用発明の表示部を、２つの互いに独立した２つのユーザインタフェースで構成する場合、引用発明の設定モードのアプリケーション（「第２のアプリケーション」）が、機能設定画面を、「主表示部９ａ」（「第１のユーザインタフェース部分」）に表示することに替えて、上記独立した「第１のユーザインタフェース」に表示することによって、「上記第２のアプリケーションをユーザが用いることができるように
上記第１のユーザインタフェースを
　
（５）　［相違点ｆ］について
　上記（２）に記載のとおり、引用発明の表示部を、「第１のユーザインタフェース」と「スクリーンの形態の代替のユーザインタフェース」とを備える構成とすることは、当業者が適宜に採用すべき設計的事項である。
　上記（３）に記載のとおり、引用発明の着信待受時の動作において、ステップＳ１０１に後続する各ステップＳ１０２…も同様に「携帯電話機の動作を司るメインプログラム」（「第１のアプリケーション」に対応。）が実行すると解するのが自然である。
　引用発明の「ステップＳ１１１」の「着信情報を表示画面全面に表示する通常の着信表示」に関して、表示情報の内容や配置等の具体的な記載はない。しかし、引用発明の表示部９が、「主表示部９ａ」と、「主表示部９ａより小さく、主表示部９ａ内の一部の表示エリアに設けられ」る「副表示部９ｂ」とで構成される以上、上記「着信情報を表示画面全面に表示する通常の着信表示」は、少なくとも表示部９の「主表示部９ａ」部分を利用して表示されるものと認められる。
　よって、引用発明の表示部を、「第１のユーザインタフェース」と「スクリーンの形態の代替のユーザインタフェース」とを備える構成とするのであれば、この際、「ステップＳ１０５で、設定モードの解除と判断されたら」、「着信情報を表示画面全面に表示する通常の着信表示をする（Ｓ１１１）」ステップを、「携帯電話機の動作を司るメインプログラム」が実行するように構成すると共に、少なくとも表示部９の「主表示部９ａ」部分を利用して表示されると認められる、「着信情報を表示画面全面に表示する通常の着信表示」を、「スクリーン形態の代替のユーザユーザインタフェース」ではなく、「第１のユーザインタフェース」に表示するように構成することによって、「上記第２のアプリケーションが実行中ではないときには、上記第１のアプリケーションは、上記呼が発生したことを上記装置のユーザに対して示すように上記第１のユーザインタフェースを制御するように設けられる」、上記［相違点ｆ］に係る構成とすることは、当業者が容易に推考し得ることである。
　
（６）　［相違点ｇ］について
　上記（２）記載のとおり、引用発明の表示部を、「第１のユーザインタフェース」と「スクリーンの形態の代替のユーザインタフェース」とを備える構成とすることは、当業者が適宜に採用すべき設計的事項である。
　さらに、引用発明は、「通信端末の操作中に着信があっても、現在の操作状態を変えることなく着信表示をする通信端末を提供すること」を目的とすることを考慮すると（上記２．（１）、２．（２）の摘記箇所（特に下線部）の記載を参照。）、「着信情報は、表示部の最上部（ピクト部）に着信情報を表示する表示領域を設けて表示されるので、
現在実行中の機能設定画面を消去して、機能設定を中断することなく
着信前の画面の操作に関する表示部分を保持したまま
　
（７）　［相違点ｈ］について
　上記（２）に記載のとおり、引用発明の表示部を、「第１のユーザインタフェース」と「スクリーンの形態の代替のユーザインタフェース」とを備える構成とすることは、当業者が適宜に採用すべき設計的事項である。
　上記（３）に記載のとおり、引用発明の着信待受時の動作において、ステップＳ１０１に後続する各ステップＳ１０２…も同様に「携帯電話機の動作を司るメインプログラム」（「第１のアプリケーション」に対応。）が実行すると解するのが自然である。
　また、一般に、あるプログラムが、他のプログラムに各種の「通知」をすることは、極めて普通に行われている。
　さらに、上記（６）に記載のとおり、引用発明は、「通信端末の操作中に着信があっても、現在の操作状態を変えることなく着信表示をする通信端末を提供すること」を目的とすることを考慮すると、「
着信情報は、表示部の最上部（ピクト部）に着信情報を表示する表示領域を設けて表示される
　
　そして、本願補正発明のように構成したことによる効果も引用発明及び周知技術から予測できる程度のものである。
　
　
５．むすび
　以上のとおり、本願補正発明は、引用発明及び周知技術に基づいて、当業者が容易に発明をすることができたものであるから、特許法第２９条第２項の規定により特許を受けることができない。
　したがって、本件補正は、平成２３年法律第６３号改正附則第２条第１８項によりなお従前の例によるとされる同法による改正前の特許法第１７条の２第６項において準用する同法第１２６条第５項の規定に違反するので、同法第１５９条第１項の規定において読み替えて準用する同法第５３条第１項の規定により却下すべきものである。
　
　
第３　本願発明について
１．本願発明
　平成２４年３月２８日付けの手続補正は上記のとおり却下されたので、本願の請求項１に係る発明（以下「本願発明」という。）は、平成２３年１１月２日付け手続補正書の特許請求の範囲の請求項１に記載された事項により特定される次のとおりのものである。
「通信システムにおいて用いるための装置において、
　第１及び第２のアプリケーションを実行するように設けられた処理手段と、
　第１のユーザインタフェースと、
　代替のユーザインタフェースとを備え、
　上記第１のアプリケーションは呼を検出するためのものであり、
　上記第２のアプリケーションは、上記第２のアプリケーションをユーザが用いることができるように上記第１のユーザインタフェースを制御するための手段を備え、
　上記第２のアプリケーションが実行中ではないときには、上記第１のアプリケーションは、上記呼が発生したことを上記装置のユーザに対して示すように上記第１のユーザインタフェースを制御するように設けられ、
　上記第２のアプリケーションが実行中であるときには、上記第１のユーザインタフェースは上記第２のアプリケーションの動作専用に設けられ、これにより、上記第１のユーザインタフェースは上記呼が発生したことをユーザに対して示すことができず、
　上記第１のアプリケーションは、上記第２のアプリケーションが実行中であることの通知のときに、上記呼が発生したことを上記装置のユーザに対して視覚的に示すように上記代替のユーザインタフェースを制御するように設けられ、かつ上記第１のユーザインタフェースは、上記呼を上記ユーザに対して示すことができない装置。」
　
２．引用例
　引用例の記載については、上記「第２　」の「２．引用例」で述べたとおりである。
　
３．対比・判断
　本願発明は、前記「第２」の「１．本願補正発明」で検討した本願補正発明の「
スクリーンの形態の
　そうすると、実質的に、本願発明の構成要件をすべて含み、さらに他の構成要件を付加したものに相当する本願補正発明が、上記「第２」の「４．相違点についての判断」に記載したとおり、引用発明及び周知技術に基づいて、当業者が容易に発明をすることができたものであるから、本願発明も同様の理由により、引用発明及び周知技術に基づいて、当業者が容易に発明をすることができたものである。　
　
４．むすび
　以上のとおり、本願発明は、引用発明及び周知技術に基づいて、当業者が容易に発明をすることができたものであるから、本願は、特許法第２９条第２項の規定により特許を受けることができない。したがって、本願は拒絶すべきものである。
　よって、結論のとおり審決する。